(57)【要約】【課題】複数の付箋をまとめて収納して携行等することができると共に、当該複数の付箋を個別に詰め替え可能な付箋収納部を提供することを目的とする。【解決手段】付箋収納具１は、端部が互い違いに糊付けして積層された付箋２１、２２を詰め替え可能に収納する付箋収納具であって、付箋２１、２２を収納する板状の本体１１と、本体１１を内部に収容するカバー１２とから構成され、本体１１には、複数の付箋２１、２２を個々に収納する複数の収納室１１ａが、一定の間隔をおいて隣接して設けられている。また、カバーに１２は、本体１１の収納室１１ａに収納された付箋２１、２２を引き出すためのスリット１２ｂが中央に一定の長さで設けられており、スリット１２ｂから付箋２１、２２が引き出される。【選択図】図１
2017087671.tif 000002
【特許請求の範囲】
【請求項１】
端部が互い違いに糊付けして積層された複数の付箋を、付箋ごとに詰め替え可能に収納する付箋収納具であって、
上記付箋を収納する板状の本体と、
上記本体を内部に収容するカバーと、から構成され、
上記本体には、
複数の付箋を個々に収納する複数の収納室が、一定の間隔をおいて隣接して設けられており、
上記カバーには、
上記本体の収納室に収納された付箋を引き出すためのスリットが、中央に一定の長さで設けられている、
ことを特徴とする付箋収納具。
【請求項２】
上記収納室は、上記付箋の形状に沿って設けられた凹部によって構成される、
請求項１記載の付箋収納具。
【請求項３】
上記収納室は、上記付箋の外縁形状に沿って設けられた凸状部材により仕切られた区画として構成される、
請求項１記載の付箋収納具。
【請求項４】
上記収納室は、上記付箋の幅ごとに設けられた間仕切りによって仕切られた区画として構成される、
請求項１記載の付箋収納具。
【請求項５】
上記本体は、少なくとも上記収納室において上記付箋が載置される部分が、弾性力のある材料によって構成されている、
請求項１乃至４いずれかの項に記載の付箋収納具。
【請求項６】
上記カバーの端部には、上記本体を挿しいれるための開口部が、設けられている、
請求項１乃至５いずれかの項に記載の付箋収納具。
【請求項７】
上記本体には、上記カバー内から出し入れするための把持部が端部に設けられている、
請求項６記載の付箋収納具。
【請求項８】
上記カバーは、上記開口部が僅かに狭まっている、
請求項６又は７記載の付箋収納具。
【発明の詳細な説明】
【技術分野】
【０００１】
本発明は、付箋を詰め替え可能に収納する付箋収納具に関する。
【背景技術】
【０００２】
書物やノートのページに貼り付けて用いられる付箋は、ページを開きやすくしたり、参照箇所を分かりやすくしたりするほか、メモ用紙としても用いられたりしている。
このような付箋は多くの場合、ケース等に入れられることなく、むき出しの状態のままで用いられているが、そのために汚れて使えなくなってしまうことも少なくない。
【０００３】
この点、例えば、特許文献１では、中央部裏面に一の方向に長い長方形状の窪みを凹設して窪みの内部を付箋収納室として板状の主部材と、付箋収納室内に収納した付箋積層体とからなり、窪み上方の板部分の一の方向の中間部に、付箋取出し口を開口してなる付箋収納具が提案されている。
また、特許文献２では、底面開放の箱形のケース本体の上板部に付箋の引出口を開設することによって、そのケース本体に、その高さ方向に離型される成形型を用いて成形可能な形状を具備させると共に、そのケース本体の周囲に成形型によって成形可能な凹入状の取付孔部を具備させ、その取付孔部に、壁面や机面などの固定面に当該ケース本体を定着させる吸着手段が取り付けられているプラスチック製付箋繰出しケースが提案されている。
また、特許文献３では、ケースと、底板とを含んでなり、該ケースは、中空で開口と、その周辺の適宜な位置に設けられた接続部と、取り出し口とを設けてなり、該取り出し口は内部に設けられた付箋紙を取り出すための経路として供し、該底板は、長手方向両側に内側に狭められた階段状の端縁部を設けてなり、ケースの開口の接続部と互いに対応して底板を開口に合わせて滑動させて閉じることができ、底板の一面には長手方向に円形の接続面を凹設することを特徴とする付箋紙座が提案されている。
【先行技術文献】
【特許文献】
【０００４】
【特許文献１】特開２０１３−１４６９２１号公報
【特許文献２】実用新案登録第３１２５０７３号公報
【特許文献３】実用新案登録第３１６４４１０号公報
【発明の概要】
【発明が解決しようとする課題】
【０００５】
各特許文献に記載の収納具等によれば、付箋の汚れや紛失等を防ぎやすくなるが、どれも一種類の付箋を収納するタイプのもので、色分け等のために複数の付箋をまとめて収納するようなものではない。また、いずれも机やペン等に固定するタイプのもので、自由に携行するのに適したものではない。
また、複数種類の付箋をまとめて収納するタイプのものも市販されているが、付箋ごとに詰め替えが可能となっているものは提供されておらず、複数種類の付箋のうちの一部が先になくなってしまうと詰め替えが利かず、使いにくいものとなってしまっていた。また、使用者が好みの付箋を適宜に選択して使用できるものではないし、コスト、ゴミの観点からも好ましいものではなかった。
【０００６】
そこで、本発明は、複数の付箋をまとめて収納して携行等することができると共に、当該複数の付箋を個別に詰め替え可能な付箋収納部を提供することを目的とする。
【課題を解決するための手段】
【０００７】
上記目的を達成するため、本発明に係る付箋収納具は、端部が互い違いに糊付けして積層された複数の付箋を、付箋ごとに詰め替え可能に収納する付箋収納具であって、上記付箋を収納する板状の本体と、上記本体を内部に収容するカバーと、から構成され、上記本体には、複数の付箋を個々に収納する複数の収納室が、一定の間隔をおいて隣接して設けられており、上記カバーには、上記本体の収納室に収納された付箋を引き出すためのスリットが、中央に一定の長さで設けられていることを特徴とする。
【０００８】
また、上記収納室は、上記付箋の形状に沿って設けられた凹部によって構成されるものとしてもよい。
【０００９】
また、上記収納室は、上記付箋の外縁形状に沿って設けられた凸状部材により仕切られた区画として構成されるものとしてもよい。
【００１０】
また、上記収納室は、上記付箋の幅ごとに設けられた間仕切りによって仕切られた区画として構成されるものとしてもよい。
【００１１】
また、上記本体は、少なくとも上記収納室において上記付箋が載置される部分が、弾性力のある材料によって構成されているものとしてもよい。
【００１２】
また、上記カバーの端部には、上記本体を挿しいれるための開口部が、設けられているものとしてもよい。
【００１３】
また、上記本体には、上記カバー内から出し入れするための把持部が端部に設けられているものとしてもよい。
【００１４】
また、上記カバーは、上記開口部のみが僅かに狭まっているものとしてもよい。
【発明の効果】
【００１５】
本発明によれば、複数の付箋をまとめて収納して携行等することができると共に、当該複数の付箋を個別に詰め替えて利用することができる。
【図面の簡単な説明】
【００１６】
【図１】本発明の第一の実施形態に係る付箋収納具を示した斜視図である。
【図２】本実施形態に係る付箋収納具において、本体に付箋を収納させた状態を示した（ａ）Ａ−Ａ断面図、（ｂ）Ｂ−Ｂ断面図である。
【図３】本実施形態に係る付箋収納具において、本体に付箋を収納させた例を示した断面図である。
【図４】本発明の第二の実施形態に係る付箋収納具を示した平面図ある。
【図５】本実施形態に係る付箋収納具において、（ａ）付箋を収納させた例、（ｂ）付箋を収納させた他の例を示した平面図である。
【図６】本実施形態に係る付箋収納具において、本体の別の例を示した平面図である。
【図７】本発明の第三の実施形態に係る付箋収納具を示した平面図である。
【図８】本発明の第四の実施形態に係る付箋収納具を示し平面図である。
【図９】本発明の第五の実施形態に係る付箋収納具において、（ａ）付箋を収納させた例、（ｂ）付箋を収納させた他の例を示した平面図である
【発明を実施するための形態】
【００１７】
以下、本発明の実施形態に係る付箋収納具について説明する。
本実施形態に係る付箋収納具は、複数の付箋をまとめて収納すると共に、付箋ごとに詰め替え可能な収納具である。
なお、図１に示されるように、本実施形態に係る付箋収納具に収納されて用いられる付箋２１、２２は、端部が互い違いに糊付けして積層されたものである。また、付箋２１、２２は幅の異なる付箋であるが、以下の説明では、付箋２１、２２をまとめて付箋２と称することがある。なお、本発明の実施において、この付箋２の材質は特に限定されず、本発明は、紙、フィルム状のプラスチックなど、広く一般に使用されている付箋について適用が可能である。
【実施例１】
【００１８】
図１に示されるように、本発明の第一の実施形態に係る付箋収納具１は、付箋２を収納する板状の本体１１と、本体１１を内部に収容するカバー１２とから構成される。
本体１１は、略矩形の板状の部材であって、一定の厚みを有している。
【００１９】
この本体１１の一面側には、付箋２を収納するための収納室１１ａが複数、設けられている。本例では、この収納室１１ａは付箋２の形状に即した凹部として形成されており、付箋２の長さ、幅、厚みに応じた長さ、幅、深さを有している。また、収納室１１ａは、幅方向に、一定の間隔をおいて隣接して設けられている。
【００２０】
なお、付箋２は、種類によって長さ、幅、厚みが異なるものが市販等されているが、本例では、所定の付箋２の形状に沿った収納室１１ａが形成されている。図２の例では、収納室１１aにちょうど収まる形状の付箋２１のほか、付箋２１に対して幅が半分の付箋２２が、一対になって収納室１１ａに収納されている。
また、本例では、収納室１１ａが三つ設けられているが、本発明の実施においては、特にその数は限定されるものではない。
また、適宜、付箋２の底面にある剥離紙（裏紙あるいはバックシート）を剥がし、当該部分に予め付着している糊等で、付箋２を収納室１１ａに貼り付けて固定してもよい。
【００２１】
本体１１の一端側には、把持部１１１が設けられており、この把持部１１１をつまんで、カバー１２内に本体１１を挿し入れたり、抜き出したりすることができるようになっている。
なお、把持部１１１には、爪等で引き出しやすくするための半円等の窪みや突起を設けてもよい。
【００２２】
このような本体１１は例えば、厚紙、プラスチックやポリウレタン等を単独、あるいは各材質のものを組み合わせて作製される。
そして、本体１１全体、あるいは収納室１１ａにおいて付箋２が載置される部分をポリウレタン等の弾性力がある材料によって構成すれば、図２に示されるように、本体２の弾力によって付箋２が上方に付勢される。その結果、付箋２を収納した本体１１がカバー１１内に挿し入れられた場合、付箋２がカバー１１に当接しやすく、付箋２が使用されて枚数が減った場合でも、付箋２がカバー１１に当接して収納室１１ａ内でぐらついたりすることがない。なお、このようにポリウレタン等で構成する場合、図２に示されるように、収納室１１aの底部に細かい凹部１１ｂを設け、凹凸な表面に付箋２が載置されるようにすることで、より弾性力を高めることもできる。なお、図２に示した凹部１１ｂによる本体１１表面の凹凸は一例であり、収納室１１ａに収納した付箋２がぐらつかない限り、凹凸の形状や数は大小あるいは多少、様々に設けることが可能である。
【００２３】
カバー１２は、本体１１の形状に即した平面視矩形の中空の箱形形状からなり、下面部１２１、下面部１２１の両端から直角に折曲して延び出た一対の側面部１２２、一対の側面部１２２から直角に折曲し、下面部１２１と平行に延び出た一対の上面部１２３から構成される。また、両端に開口部１２ａが設けられると共に、一面側の中央に一定の長さのスリット１２ｂが形成されている。
【００２４】
このカバー１２は、厚紙やＡ−ＰＥＴ等のプラスチック等、形状維持が可能な材料を単独、あるいは各材質のものを組み合わせて作製される。本例では、薄く透明なプラスチックによって構成され、本体１１に収納されている付箋２がカバー１２越しに見えるようになっている。
【００２５】
本体１１は適宜、把持部１１１をつまみながら、カバー１２内に開口部１２ａからスライドして収容されるようになっている。カバー１２内に収容された本体１１の収納室１１ａからは、スリット１２ｂを介して付箋２が引き出されるようになっている。
【００２６】
この付箋収納具１を使用する場合には、まず、本体１１の収納室１１ａに付箋２を収納し、本体１１をカバー１２内に挿し入れる。スリット１２ｂから付箋２を引き出して使用し、付箋２がなくなった場合には本体１１をカバー１２から引き出し、収納室１１ａに付箋２を詰め直して、再びカバー１２内に挿し入れる。
【００２７】
なお、カバー１２内に、付箋２を収納した本体１１を収容した状態において、使い初めに付箋２の端部をスリット１２ｂから引き出すときは、幅広の付箋を用い、当該幅広の付箋の粘着部分をスリット１２ｂからカバー１２内に挿し入れ、本体１１に収納されている付箋２の端部に貼着させてスリット１２ｂからカバー１２外へ引き出すとよい。製品レベルでは、このような収納方法についての取扱書を幅広の付箋で代用することも考えられる。
【００２８】
以上の本実施形態に係る付箋収納具１によれば、複数の付箋２をまとめて収納して携行等することができると共に、当該複数の付箋２を個別に詰め替えて利用することができる。そのため、収納している付箋２のうちの一つだけがなくなっても、簡便に補充して使用することができる。また、その結果、付箋をまとめて購入する場合よりもコストが安く済むし、所望の付箋を適宜に補充して使用することができる。
また、隣接する複数の収納室１１ａが、一定の間隔をおいて設けられていることから、付箋２を引き出したり、付箋収納具１を携行したりする際にも、収納室１１ａに収納された付箋２がぐらついたりすることがない。
【００２９】
なお、本実施形態の説明においては、収納室１１aに付箋２を一段だけ収納した例を示したが、これに限らず、収納室１１aを適宜の深さに設けたり、付箋２自体の厚みが薄いものを用いたりすることで、図３に示されるように、一つの収納室１１a内に複数の付箋２を重ねいれることもできる。
【００３０】
また、本実施形態において説明したカバー１２について、下面部１２１を幅方向に少しだけ延出させれば、これを上方に折曲等させることで、カバー１２内に挿し入れた本体１１が外に出ないようにストッパーの役割を果たさせることができる。また、カバー１２の幅方向の一端部、ないしは開口部１２ａの一方又は両方を僅かに狭めることでも、本体１１が抜け出ないようにすることができる。さらに、本体１１の幅方向ないしはカバー１１に挿し入れる向きの一端部を僅かに広げることで、当該部分がカバー１２に隙間なくきつく収まり、カバー１２から本体１１が抜け出ないようにすることもできる。
【実施例２】
【００３１】
続いて、図４に本発明の第二の実施形態に係る付箋収納具を示す。
本実施形態に係る付箋収納具は、付箋収納具１と同様、本体３１と、上述したカバー１２で構成される。
【００３２】
略矩形の平板状からなる本体３１に設けられる収納室３１aは、付箋２１の外縁形状に沿って設けられた凸状部材３１１により仕切られた区画として構成される。
この凸状部材３１１は、付箋２の外縁形状に即して、付箋２の角部近傍に相当する位置に、本体３１表面に立設しており、四カ所に設けられた凸状部材３１１によって仕切られた区画が一つの収納室３１aを構成する。なお、凸状部材３１１はＴ字型、三隅ピン止め等、付箋２の外縁形状に即して固定することができれば形状は問われない。
【００３３】
各収納室３１ａには、幅方向中央に長さ方向に沿って一点鎖線３１２ａが設けられ、また、付箋２１の外縁形状に即して破線３１２ｂが設けられている。一点鎖線３１２ａと破線３１２ｂを認識することによって、付箋２１、２２を収納する位置を分かりやすく視認することができる。
なお、一点鎖線３１２ａや破線３１２ｂは、印字によるものであってもよいし、厚紙等からなる本体３１にエンボス加工等によって設けたものであってもよい。
【００３４】
このような本実施形態に係る付箋収納具によれば、図５に示されるように、凸状部材３１１によって仕切られて構成された収納室３１ａに付箋２１、２２が収容され、この凸状部材３１１によって、付箋２１、２２が収納室内３１ａに保持される。
その結果、本実施形態に係る付箋収納具によってもやはり、複数の付箋をまとめて収納して携行等することができると共に、当該複数の付箋を個別に詰め替えて利用することができる。また、図３を参照して上述したのと同様、一つの収納室３１a内に複数の付箋２を重ねいれることもできる。
また、隣接する複数の収納室１１ａが凸状部材３１１によって隔てられ、付箋２一つ一つが固定的に収納されることから、付箋２を引き出したり、付箋収納具１を携行したりする際にも、収納室３１ａに収納された付箋２がぐらついたりすることがない。
【００３５】
なお、本実施形態では、付箋２１の四隅を固定するように収納室３１ａの四隅に凸状部材３１１を設けたが、図６に示される本体４１にように、付箋２１の外縁全体を固定する枠状に凸状部材４１１を設けることによっても、付箋２を収納室４１ａに固定することができる。
【実施例３】
【００３６】
続いて、図７に本発明の第三の実施形態に係る付箋収納具を示す。
本実施形態に係る付箋収納具は、付箋収納具１と同様、本体５１と、上述したカバー１２で構成される。
【００３７】
略矩形の平板状からなる本体５１に設けられる収納室５１aは、収納される付箋２の幅方向に沿って設けられた間仕切５１３によって仕切られた区画として構成される。
本体５１には、本体に収納される付箋２の長さ方向の一端側に固定部材５１１が複数設けられると共に、他端側に半円突起５１２が複数設けられている。
【００３８】
固定部材５１１は、本体５１表面から突設した凸状部材であり、本体５１の幅方向に、付箋２２の幅ごとに一対設けられている。この固定部材５１１は、付箋２の長さ方向に長さを有した長方形あるいは直方体状の形状を有しており、一対の固定部材５１１の間には間仕切り５１３の端部が挟持されるようになっている。このように固定部材５１１を長さ方向に長めにすることで、半円突起５１２がなくても、付箋２をぐらつかせることなく挟持できる。
【００３９】
また、半円突起５１２も、本体５１表面から突設した平面視半円形の凸状部材であり、本体５１の幅方向に、付箋２１の幅ごとに一対設けられている。そして、この一対の固定部材５１１の間に間仕切り５１３の端部が挟持されるようになっている。なお、本例においては、半円突起５１２は、付箋２１の幅ごとに一対、設けるものとしているが、これに限らず、付箋２２の幅ごとに一対、設けるものとしてもよい。また、図７のように、付箋２１の幅にのみ半円突起５１２が設けられている場合は、半円突起５１２が付箋２１用であることがわかりやすい。
【００４０】
間仕切り５１３は、一対の固定部材５１１に一端が挟持される略長方形の仕切板であって、隣接する一対の間仕切り５１３によって仕切られた区画が収納室５１ａを構成する。
なお、一対の固定部材５１１に挟持される端部と反対側の端部は、一対の半円突起５１２が設けられている場合にのみ、当該一対の半円突起５１２の間に挟持、あるいは付箋２がぐらつくのを防ぐように付箋２を保持される。
【００４１】
また、この本体５１には、収納室５１ａの外側近傍に、付箋２１、２２それぞれの幅に応じた印５１４ａ、５１４ｂが付されている。図７の例では、付箋２２が幅６ｍｍの場合を一例とした「６」と記載された印５１４ａが付され、付箋２１が幅１２ｍｍの場合を一例とした「１２」と記載された印５２が付されている。
この印５１、５２を認識することによって、付箋２１、２２を収納する位置を分かりやすく視認することができる。
なお、印５１、５２は、印字によるものであってもよいし、厚紙等からなる本体５１にエンボス加工等によって設けたものであってもよい。
【００４２】
このような本実施形態に係る付箋収納具によれば、適宜、収納したい付箋２のサイズや数に応じて間仕切り５１３を取り付けることができるので、使用者の希望に応じて、高い自由度で付箋２を収納することができる。なお、第一の実施形態等と同様、本実施形態においても、付箋２を重ねて収納して携行等することができる。
【実施例４】
【００４３】
続いて、図８に本発明の第四の実施形態に係る付箋収納具を示す。
本実施形態に係る付箋収納具は、付箋収納具１と同様、本体６１と、上述したカバー１２で構成される。
【００４４】
略矩形の平板状からなる本体６１に設けられる収納室６１aは、収納される付箋２の幅方向に沿って設けられた間仕切６１２によって仕切られた区画として構成される。
本体６１には、本体に収納される付箋２の長さ方向の両端に固定部材６１１が複数設けられている。
【００４５】
固定部材６１１は、本体６１表面から突設した凸状部材であり、本体６１の幅方向に、付箋２１の幅ごとに一対設けられている。そして、この一対の固定部材６１１の間には、間仕切り６１２の端部が挟持されるようになっている。
【００４６】
間仕切り６１２は、両端がそれぞれ、一対の固定部材６１１によって挟持される略長方形の仕切板であって、隣接する一対の間仕切り６１２によって仕切られた区画が収納室６１ａを構成する。
なお、本例では、固定部材６１１は、付箋２１の幅ごとに設けるものとしたが、付箋２２の幅としてもよいし、適宜に設計することができる。
【００４７】
このような本実施形態に係る付箋収納具によれば、適宜、収納したい付箋２のサイズや数に応じて間仕切り６１２を取り付けることができるので、使用者の希望に応じて、高い自由度で付箋２を収納することができる。
また、本例においては、横倒しにした状態の付箋２を間仕切り６１２として用いることもでき、この場合には、収納室６１ａに収納しておいた付箋２がなくなった際に、間仕切り６１２として使用されていた付箋２を取り外して収納すれば便利である。
【実施例５】
【００４８】
続いて、図９に本発明の第四の実施形態に係る付箋収納具を示す。
本実施形態に係る付箋収納具は、本体７１と上述のカバー１２によって構成される。
【００４９】
略矩形の平板状からなる本体７１には、収納される付箋２の幅方向に沿って、付箋２１、２２の形状に合わせた区画線が印字されており、この区画線によって囲われた部分が収納室７１ａを構成している。
また、本体７１の収納室７１ａには、付箋２２の載置部分に色あるいは模様等の識別模様７１２が付されている。
【００５０】
さらに、収納室７１ａの外側近傍に、付箋２１、２２それぞれの幅に応じた印７１１ａ、７１１ｂ、７１２ａ、７１２ｂが付されている。図９の例では、付箋２２が幅６ｍｍの場合を一例とした「６」と記載された印７１１ａ、７１１ｂが付されると共に、付箋２１が幅１２ｍｍの場合を一例とした「１２」と記載された印７１２ａ、７１２ｂが付されている。
この印７１１ａ、７１１ｂ、７１２ａ、７１２ｂを認識することによって、付箋２１、２２を収納する位置を分かりやすく視認することができる。
なお、印７１１ａ、７１１ｂ、７１２ａ、７１２ｂは、印字によるものであってもよいし、厚紙等からなる本体７１にエンボス加工等によって設けたものであってもよい。
【００５１】
なお、各収納室７１ａに付箋２を収納する場合には、付箋２の底面にある剥離紙を剥がし、剥離紙を貼着させていた糊等を利用して、付箋２の裏面を収納室７１ａの表面に接着するとよい。
【００５２】
このような本実施形態に係る付箋収納具によれば、適宜、収納したい付箋２のサイズや数に応じて、分かりやすく付箋を収納することができる。
【符号の説明】
【００５３】
１        付箋収納具
１１      本体
１１ａ    収納室
１１ｂ    凹部
１１１    把持部
１２      カバー
１２ａ    開口部
１２ｂ    スリット
１２１    下面部
１２２    側面部
１２３    上面部
２１      付箋
２２      付箋
３１      本体
４１      本体
５１      本体
６１      本体
７１      本体
【図１】
2017087671.tif 000003
【図２】
2017087671.tif 000004
【図３】
2017087671.tif 000005
【図４】
2017087671.tif 000006
【図５】
2017087671.tif 000007
【図６】
2017087671.tif 000008
【図７】
2017087671.tif 000009
【図８】
2017087671.tif 000010
【図９】
2017087671.tif 000011